(57)【要約】【課題】電源基板と制御基板とを接続する信号線がダンパーに接触することなく配線できる炊飯器を提供する。【解決手段】背面内側に電源基板５を有する本体１と、内側に制御基板１６を有する蓋体１０と、本体１の背面内側に設けられ、本体１の上面を開閉する蓋体１０を支持するヒンジ軸３１、及びヒンジ軸３１に組み付けられ蓋体１０の開動作を制動するダンパー３２を有するヒンジ機構部３０と、本体１の背面に設けられ、ヒンジ機構部３０を覆うヒンジカバー６と、ダンパー３２の前端よりも前方に配線され、電源基板５と制御基板１６とを接続するフラットケーブル７と、ダンパー３２の上面を覆うようにダンパー３２の上方に設けられ、蓋体１０が開放されるときに、フラットケーブル７がダンパー３２の表面に接触しないように支えるケーブル支持部４０とを備えている。【選択図】図３
2015008800.tif 000002
【特許請求の範囲】
【請求項１】
上面に内釜が出し入れ自在に収容される開口を有し、更に、背面内側に電源基板を有する本体と、
内側に制御基板を有し、一端側が前記本体に軸支され、前記本体の上面を開閉自在に覆う蓋体と、
前記本体の背面内側に設けられ、当該本体の上面を開閉する前記蓋体を支持するヒンジ軸、及び該ヒンジ軸に組み付けられ前記蓋体の開動作を制動するダンパーを有するヒンジ機構部と、
前記本体の背面に設けられ、前記ヒンジ機構部を覆うヒンジカバーと、
前記ダンパーに対し間隙を有して上下方向に配線され、前記電源基板と前記制御基板とを接続する信号線と、
前記ヒンジカバーの前記ダンパーより上部に当該ダンパーの上面を覆うように設けられ、前記蓋体が開放されるときに、前記信号線が前記ダンパーの表面に接触しないように当該信号線を支える支持部と
を備えたことを特徴とする炊飯器。
【請求項２】
前記信号線は、前記ダンパーよりも内側に配線され、
前記支持部は、先端部で前記信号線を支えることを特徴とする請求項１記載の炊飯器。
【請求項３】
前記支持部の先端部に軟質材が設けられていることを特徴とする請求項２記載の炊飯器。
【請求項４】
前記信号線は、前記ヒンジカバーと前記ダンパーとの間に、当該ダンパーに間隙を有して配線され、
前記支持部は、前記ヒンジカバー寄りに穴を有し、前記信号線を前記穴で支えることを特徴とする請求項１記載の炊飯器。
【請求項５】
前記穴は、前記ダンパーの軸心方向の片側が開放された長穴形状であることを特徴とする請求項４記載の炊飯器。
【請求項６】
前記支持部の穴の内周縁に軟質材が設けられていることを特徴とする請求項４又は５記載の炊飯器。
【発明の詳細な説明】
【技術分野】
【０００１】
本発明は、例えば、蓋体と本体に跨がって配線されたフラットケーブルを有する炊飯器に関するものである。
【背景技術】
【０００２】
従来、内釜が取り出し自在に収容され、電源基板を有する本体と、制御基板を有し、本体にヒンジ機構部を介して開閉自在に設けられた蓋体と、ヒンジ機構部のダンパーの外郭に接触させて、電源基板と制御基板とを接続するフラットケーブルとを備え、ヒンジ機構部の軸組付け部材とダンパーの外郭の少なくとも一方に絶縁性を持たせてなる炊飯器がある（例えば、特許文献１参照）。
【先行技術文献】
【特許文献】
【０００３】
【特許文献１】特許第５１０４１７２号公報（特許請求の範囲、図１）
【発明の概要】
【発明が解決しようとする課題】
【０００４】
このような炊飯器では、フラットケーブルがダンパーの外郭に接触しているため、蓋体の開閉動作を繰り返し行っていくうちに、フラットケーブルが擦れて損傷する恐れがある。また、蓋体がヒンジ機構部を中心に回動するように構成されているため、その部分に隙間があり、このため、その隙間から蓋体の裏面に付着した水滴やゴミがダンパーとヒンジ軸との間の隙間に侵入してヒンジ軸がスムーズに回動しなくなる可能性もあった。
【０００５】
本発明は、前述のような課題を解決するためになされたもので、電源基板と制御基板とを接続する信号線がダンパーに接触することなく配線でき、また、ダンパー内への水滴やゴミの侵入を防止できる炊飯器を提供することを目的とする。
【課題を解決するための手段】
【０００６】
本発明に係る炊飯器は、上面に内釜が出し入れ自在に収容される開口を有し、更に、背面内側に電源基板を有する本体と、内側に制御基板を有し、一端側が本体に軸支され、本体の上面を開閉自在に覆う蓋体と、本体の背面内側に設けられ、その本体の上面を開閉する蓋体を支持するヒンジ軸、及びヒンジ軸に組み付けられ蓋体の開動作を制動するダンパーを有するヒンジ機構部と、本体の背面に設けられ、ヒンジ機構部を覆うヒンジカバーと、ダンパーに対し間隙を有して上下方向に配線され、電源基板と制御基板とを接続する信号線と、ヒンジカバーのダンパーより上部にダンパーの上面を覆うように設けられ、蓋体が開放されるときに、信号線がダンパーの表面に接触しないように信号線を支える支持部とを備えたものである。
【発明の効果】
【０００７】
本発明によれば、蓋体が開放されるときに、ダンパーに対し間隙を有して上下方向に配線された信号線がダンパーに接触する前に支持部によって支えられる。これにより、信号線がダンパーの表面に触れることがなくなるので、蓋体の開閉動作を繰り返し行っても信号線が擦れて傷付くようなことがなくなり、安全性が向上する。
また、蓋体を開放した際に、支持部によって信号線を支える構成であるため、ダンパーの近くの配線が容易となり、作業性が向上する。
また、支持部によってダンパーの上面を覆うようにしているので、蓋体を開放した際に蓋体の裏面に付着した水滴やゴミが落下しても、ダンパーのヒンジ軸への組み付け部分から侵入するようなことがなくなり、蓋体の滑らかな開閉動作を維持することができる。
【図面の簡単な説明】
【０００８】
【図１】実施の形態１に係る炊飯器において蓋体を開けた状態を示す斜視図。
【図２】実施の形態１に係る炊飯器においてヒンジカバーを取り外した状態を示す斜視図。
【図３】実施の形態１に係る炊飯器を示す縦断面図。
【図４】図３の炊飯器のダンパー周辺を拡大して示す部分断面図。
【図５】実施の形態１の変形例を示すダンパー周辺の部分断面図。
【図６】実施の形態２に係る炊飯器のダンパー周辺を拡大して示す部分断面図。
【図７】図６のヒンジ機構部を上方から見て示す平面図。
【発明を実施するための形態】
【０００９】
実施の形態１．
図１は実施の形態１に係る炊飯器において蓋体を開けた状態を示す斜視図、図２は実施の形態１に係る炊飯器においてヒンジカバーを取り外した状態を示す斜視図、図３は実施の形態１に係る炊飯器を示す縦断面図、図４は図３の炊飯器のダンパー周辺を拡大して示す部分断面図である。
【００１０】
図１〜図３において、実施の形態１の炊飯器１００は、上面に開口を有する箱形形状の本体１と、本体１の開口に取り出し自在に収容された内釜２と、本体１の手前側の側面に取り外し自在に取り付けられた蒸気回収装置２０と、内側に制御基板１６を有し、一端側が本体１に軸支され、本体１の上面及び蒸気回収装置２０を開閉自在に覆う蓋体１０とを備えている。
【００１１】
本体１に設けられた開口の底部には、内釜２を誘導加熱する円環状の加熱コイル３が設けられている。また、その底部の中央には、加熱コイル３により誘導加熱される内釜２の温度を検出する温度センサー４が設置されている。本体１の背面の内側には、電源基板５が設けられている。この電源基板５は、商用電源の交流電力を直流電力に変換するコンバーター、コンバーターからの直流電力を交流電力に変換し、加熱コイル３に供給するインバーター、インバーターを制御する制御回路などが実装され、信号線である例えばフラットケーブル７を介して制御基板１６と接続されている。本体１の背面には、ヒンジ機構部３０を覆うヒンジカバー６が取り付けられている。
【００１２】
蓋体１０の手前側の側面には、蓋体１０の閉状態を解除する解除ボタン１１が設けられている。また、蓋体１０の下面の前部には、解除ボタン１１に連動して可動する可動係止片１２が設けられている。この可動係止片１２は、蓋体１０が閉じられたときに、本体１の上面に設けられた被係止部１ａに係止して、蓋体１０の閉状態を保持し、解除ボタン１１が押されたときには、被係止部１ａへの係止が解除され、閉状態の蓋体１０を開放させる。
【００１３】
また、蓋体１０の内釜２と対向する下面には、取り外し自在に内蓋１３が取り付けられ、蓋体１０の下面の角部には、蒸気導管出口１５が設けられている。内蓋１３には、蓋体１０と内蓋１３との間に設置された蒸気導管（図示せず）を介して蒸気導管出口１５と連通する蒸気排出口１４が設けられている。蓋体１０の内側（内部）には、前述の制御基板１６が配置されている。この制御基板１６は、蓋体１０の表面に設けられた操作部１７の操作に基づいて、電源基板５に制御信号を出力する制御回路、表示回路などが実装されている。
【００１４】
蒸気回収装置２０は、上面に開口を有する水タンク２３と、水タンク２３の開口に取り外し自在に取り付けられた水タンク蓋２１と、水タンク２３内に収容された連通管２４とを備えている。水タンク蓋２１には、連通管２４が連結された蒸気導管受け口２２が設けられている。この蒸気導管受け口２２は、蓋体１０が閉じられたときに、蒸気導管出口１５と接合する。蒸気回収装置２０は、炊飯器１００での炊飯によって、内釜２内に発生する蒸気が蒸気導管を通って連通管２４内に流入されると、その蒸気を水タンク２３内に蓄えられた水で復水して回収する。
【００１５】
ヒンジ機構部３０は、本体１の後部に設けられている。このヒンジ機構部３０は、蓋体１０を支持するヒンジ軸３１と、ヒンジ軸３１が挿入され、蓋体１０を開方向に付勢するバネ３３と（図７参照）、ヒンジ軸３１が貫通して組み付けられ、バネ３３の付勢力によって蓋体１０が開くときの動作を制動させるダンパー３２とを備えている。
【００１６】
ヒンジカバー６の上部には、本体１の底部１ｂに対し略平行にかつ本体１の内側に突出する板形状のケーブル支持部４０（支持部）が設けられている。このケーブル支持部４０は、図４に示すように、ダンパー３２の上面を覆うようにダンパー３２の上方に設けられている。ケーブル支持部４０の幅は、ダンパー３２の軸心方向の長さと略同じであり、ケーブル支持部４０の長さについては、ダンパー３２の前端よりも前方（内側）に長く延びている。なお、ケーブル支持部４０の幅を、ダンパー３２の軸心方向の長さよりも長くしてもよい。
【００１７】
このケーブル支持部４０により、フラットケーブル７は、ダンパー３２の前端よりも前方（内側）に配線されて、電源基板５と制御基板１６とを接続している。
蓋体１０が本体１の上面を閉じているとき、ダンパー３２の前端よりも前方（内側）に配線されたフラットケーブル７は、ダンパー３２の表面との距離を所定値以上に保ちながらケーブル支持部４０の先端部に接触して、制御基板１６側に折り曲げられた状態となっている。
【００１８】
解除ボタン１１の操作により蓋体１０の閉状態が解除されると、その蓋体１０は、ヒンジ軸３１を中心として、バネ３３の付勢力で開き、ダンパー３２によってゆっくりと開いていく。この時、ダンパー３２の前端よりも前方（内側）に配線されたフラットケーブル７は、ケーブル支持部４０の先端部に接触した状態で、ダンパー３２の表面との距離を所定値以上に保ちながら蓋体１０の開動作に伴って蓋体１０側に引っ張られていく。なお、蓋体１０の後端でヒンジカバー６と対向する部分は、蓋体１０の開動作に伴い、ヒンジカバー６の後面に沿って、これを覆うように移動する。
【００１９】
以上のように実施の形態１によれば、電源基板５と制御基板１６とを接続しているフラットケーブル７のうち、ダンパー３２の前端よりも前方に配線されたフラットケーブル７は、ダンパー３２の上方に位置するケーブル支持部４０の先端部により支えられる。これにより、蓋体１０が開放されても、フラットケーブル７とダンパー３２の表面との間の距離を所定値以上に保つことができる。このため、蓋体１０の開閉動作を繰り返し行っても、フラットケーブル７がダンパー３２の表面に接触して擦れるようなことがなくなり、フラットケーブル７の損傷を防止でき、安全性が向上する。
【００２０】
また、ケーブル支持部４０をダンパー３２の上方に設け、ケーブル支持部４０の幅をダンパー３２の軸心方向の長さと略同じとし、ケーブル支持部４０の長さをダンパー３２の前端よりも前方（内側）に長く延ばしている。この構成により、内蓋１３に付着した水滴や、ゴミなどが落下してもケーブル支持部４０が受け止める。このため、内蓋１３に付着した水滴や、ゴミなどがダンパー３２のヒンジ軸３１の挿入部分に侵入するようなことがなくなり、水滴やゴミの侵入によるヒンジ軸３１の回転の悪化を防止できる。
【００２１】
なお、実施の形態１では、フラットケーブル７がダンパー３２の表面に接触しないように、ケーブル支持部４０の先端でフラットケーブル７を支えるようにしたが、図５に示すように、ケーブル支持部４０の先端部に、軟質材である例えばゴムＡ４１を貼り付けて、フラットケーブル７がダンパー３２の表面に接触しないように、フラットケーブル７を支えるようにしてもよい。なお、図５は実施の形態１の変形例を示すダンパー周辺の部分断面図である。
【００２２】
図中に示すように、ケーブル支持部４０の先端部をゴムＡ４１で覆うことにより、蓋体１０の開閉により、フラットケーブル７のケーブル支持部４０への摺接回数が増えても、フラットケーブル７の擦れによる損傷を防止でき、より安全性が向上する。
【００２３】
実施の形態２．
図６は実施の形態２に係る炊飯器のダンパー周辺を拡大して示す部分断面図、図７は図６のヒンジ機構部を上方から見て示す平面図である。なお、図６に示す４４は、ゴムＢであるが、これは、本実施の形態には無いものとする。また、図１〜図４で説明した実施の形態１と同様の部分には同じ符号を付している。
【００２４】
実施の形態２においては、ヒンジカバー６の上部に、長穴４３を有するケーブル支持部４２を備えた炊飯器１００である。このケーブル支持部４２は、実施の形態１と同様に、本体１の底部１ｂに対し略平行にかつ本体１の内側に突出する板状に形成されている。ケーブル支持部４２は、図６及び図７に示すように、ダンパー３２に対向するように上方に位置している。
【００２５】
ケーブル支持部４２の幅は、ダンパー３２の軸心方向の長さと略同じであり、ケーブル支持部４２の長さは、ダンパー３２の前端よりも前方（内側）に長く延びている。また、ケーブル支持部４２に設けられた長穴４３は、図７に示すように、ケーブル支持部４２の幅方向に延びてバネ３３側が開放された穴となっている。また、長穴４３は、ケーブル支持部４２上において、ヒンジカバー６側に寄っている。これは、長穴４３を通り、長穴４３で支えられるフラットケーブル７のうち、ダンパー３２とヒンジカバー６との間のフラットケーブル７が、蓋体１０の開放時にダンパー３２の表面に接触しないようにするためである。なお、ケーブル支持部４０の幅を、ダンパー３２の軸心方向の長さよりも長くしてもよい。
【００２６】
ケーブル支持部４２の長穴４３には、長穴４３の開放部分からフラットケーブル７が挿入されている。そのフラットケーブル７の一方は、ダンパー３２とヒンジカバー６との間の隙間を通って電源基板５と接続され、フラットケーブル７の他方は、ケーブル支持部４２の上方を通って制御基板１６と接続されている。
【００２７】
本体１の上面を蓋体１０が閉じているとき、ダンパー３２とヒンジカバー６との間に配線されたフラットケーブル７は、ケーブル支持部４０の長穴４３により支持されているので、ダンパー３２の表面から離れた状態となっている。蓋体１０が開いているときには、そのフラットケーブル７は、ケーブル支持部４０の長穴４３を通して上方へ引っ張られ、ダンパー３２の表面から離れた状態を維持する。
【００２８】
以上のように実施の形態２によれば、電源基板５と制御基板１６とを接続しているフラットケーブル７のうち、ダンパー３２とヒンジカバー６との間のフラットケーブル７は、ケーブル支持部４２の長穴４３に挿入されて支持されている。これにより、蓋体１０が開放されても、そのフラットケーブル７がダンパー３２の表面に接触するようなことがなくなる。このため、フラットケーブル７がダンパー３２に擦れるようなことがなくなり、フラットケーブル７の損傷を防止でき、より安全性が向上する。
【００２９】
なお、実施の形態２では、ケーブル支持部４２の長穴４３に直接フラットケーブル７を挿入させて、フラットケーブル７とダンパー３２の表面との間の距離を所定値以上に保つようにしたが、ケーブル支持部４２の長穴４３の内周縁に軟質材であるゴムＢ４４を設けて（図６参照）、蓋体１０の開閉動作によるフラットケーブル７への負荷を軽減するようにしてもよい。これにより、フラットケーブル７のケーブル支持部４０への長穴４３の接触回数又は摺接回数が増えても、フラットケーブル７に傷が付くようなことがなく、フラットケーブル７の損傷を防止できる。
【００３０】
実施の形態１、２では、信号線としてフラットケーブル７を用いたが、リード線を束にして用いてもよい。また、蒸気回収装置２０を備えた炊飯器１００に適用したが、蒸気回収装置２０を備えていない炊飯器に適用してもよい。
【符号の説明】
【００３１】
１  本体、１ａ  被係止部、１ｂ  底部、２  内釜、３  加熱コイル、４  温度センサー、５  電源基板、６  ヒンジカバー、７  フラットケーブル、１０  蓋体、１１  解除ボタン、１２  可動係止片、１３  内蓋、１４  蒸気排出口、１５  蒸気導管出口、１６  制御基板、１７  操作部、２０  蒸気回収装置、２１  水タンク蓋、２２  蒸気導管受け口、２３  水タンク、２４  連通管、３０  ヒンジ機構部、３１  ヒンジ軸、３２  ダンパー、３３  バネ、４０、４２  ケーブル支持部、４１  ゴムＡ、４３  長穴、４４  ゴムＢ、１００  炊飯器。
【図１】
2015008800.tif 000003
【図２】
2015008800.tif 000004
【図３】
2015008800.tif 000005
【図４】
2015008800.tif 000006
【図５】
2015008800.tif 000007
【図６】
2015008800.tif 000008
【図７】
2015008800.tif 000009